(57)【特許請求の範囲】
【請求項１】
カーテンウォール（１）で外壁を構成する建物の防振構造であって、建物躯体に固設した防振部材を、カーテンウォール（１）の内側壁面に当接し、該防振部材とカーテンウォール（１）との当接面の静止摩擦により、カーテンウォール（１）を建物躯体に接合させ、該防振部材は、梁（２）と梁（２）の間に立設する柱体であって、該柱体は複数のＣ形溝部材（２０Ａ）により構成し、該Ｃ形溝部材（２０Ａ）の側面をカーテンウォール（１）に当接させる構成とし、前記Ｃ形溝部材（２０Ａ）のカーテンウォール（１）との当接面には高摩擦材（１４）を貼設したこと特徴とするカーテンウォールを利用した防振構造。
【請求項２】
カーテンウォール（１）で外壁を構成する建物の防振構造であって、建物躯体に固設した防振部材を、カーテンウォール（１）の内側壁面に当接し、該防振部材とカーテンウォール（１）との当接面の静止摩擦により、カーテンウォール（１）を建物躯体に接合させ、該防振部材は、梁（２）と梁（２）の間に支持柱（３０）を介装し、該支持柱（３０）からカーテンウォール（１）の内側壁面に当接させる防振プレート（３１）を突設し、該防振プレート（３１）は支持柱（３０）のボルト孔に螺装した当接ボルト（３２）の一端に取り付けたプレートにより構成し、該当接ボルト（３２）を締め付けることにより防振プレート（３１）をカーテンウォール（１）の内側壁面へ押し付けて、静止摩擦を得ることを特徴とするカーテンウォールを利用した防振構造。
【発明の詳細な説明】
【０００１】
【発明の属する技術分野】
本発明は、パネル方式のカーテンウォールで構成した建物の防振性を向上させる技術に関する。
【０００２】
【従来の技術】
カーテンウォールとは、建物躯体にファスナーを介して取り付けられる建物の外周を構成する非耐力壁である。そして、該カーテンウォールには、耐風圧・防振・耐衝撃・断熱・遮音・水密・気密・耐久性等が求められている。この内の防振性については、地震や台風による建物大変形時において、該カーテンウォールを建物躯体に対してロッキングさせることにより、該カーテンウォールの落下及び破損に対する安全性が確保されている。
【０００３】
【発明が解決しようとする課題】
上記カーテンウォールは、ＰＣコンクリート等から構成されているため、カーテンウォール自体には十分な剛性がある。
【０００４】
しかし、カーテンウォールは上記のロッキングを可能とするため、建物躯体である梁に設置したファスナーにとりつける、いわゆる吊り下げ構造等としている。このため、カーテンウォールに剛性があるにもかかわらず、該剛性は建物剛性の向上には活かされていないのである。以上のことから、外部からの微小振動の際の防振性能は低く、外壁全体としては耐力壁と比較して防振性能が劣っていたといえる。
【０００５】
上述した外部からの微小振動には、一般道路、高速道路、及び新幹線の高架等から発生する交通振動が考えられる。これらの交通振動の発生源の近くの建物においては、微小振動の影響を絶えず受けることになるため、建物剛性の向上が必要となる。とくに、住宅においては、早朝又は夜間においても微小振動を受けることにより、快適に睡眠をすることができない等、居住性を損ねる場合がある。また、人は早い揺れは感じにくく、ゆっくりとした揺れは感じやすいことから、建物剛性を高くすることにより、同一の振動に対しての建物の揺れの振動数を上げることによって、揺れの体感を少なくできるのである。
【０００６】
そこで、発明者は、カーテンウォール自体の剛性を微小振動に対する建物剛性の向上に作用させることを考え出したのである。即ち、本発明の課題とするところは、地震や台風時には、建物大変形に追従させるロッキングの機能による安全性を保ちつつ、交通振動等の微小振動には、カーテンウォールを建物躯体と接合（剛体化）させ、建物全体としての剛性の向上を図ることである。尚、本発明が対象とするカーテンウォールは、構法をパネル方式とするものであり、ＰＣカーテンウォール、発泡コンクリート、又はＡＬＣ板等をいい、構法の相違するメタルカーテンウォール等は対象としないものとする。
【０００７】
【課題を解決するための手段】
本発明の解決しようとする課題は以上のごとくであり、次に該課題を解決する為の手段を説明する。
【０００８】
請求項１においては、カーテンウォール（１）で外壁を構成する建物の防振構造であって、建物躯体に固設した防振部材を、カーテンウォール（１）の内側壁面に当接し、該防振部材とカーテンウォール（１）との当接面の静止摩擦により、カーテンウォール（１）を建物躯体に接合させ、該防振部材は、梁（２）と梁（２）の間に立設する柱体であって、該柱体は複数のＣ形溝部材（２０Ａ）により構成し、該Ｃ形溝部材（２０Ａ）の側面をカーテンウォール（１）に当接させる構成とし、前記Ｃ形溝部材（２０Ａ）のカーテンウォール（１）との当接面には高摩擦材（１４）を貼設したものである。
【０００９】
請求項２においては、カーテンウォール（１）で外壁を構成する建物の防振構造であって、建物躯体に固設した防振部材を、カーテンウォール（１）の内側壁面に当接し、該防振部材とカーテンウォール（１）との当接面の静止摩擦により、カーテンウォール（１）を建物躯体に接合させ、該防振部材は、梁（２）と梁（２）の間に支持柱（３０）を介装し、該支持柱（３０）からカーテンウォール（１）の内側壁面に当接させる防振プレート（３１）を突設し、該防振プレート（３１）は支持柱（３０）のボルト孔に螺装した当接ボルト（３２）の一端に取り付けたプレートにより構成し、該当接ボルト（３２）を締め付けることにより防振プレート（３１）をカーテンウォール（１）の内側壁面へ押し付けて、静止摩擦を得るものである。
【００１０】
【発明の実施の形態】
次に、本発明の実施の形態を、図面に基づいて説明する。
【００１１】
図１は第一参考例の防振構造を示す図、図２は第一参考例の防振部材の前面図、図３は同じく側面図、図４は第一参考例の防振構造を備えるカーテンウォールを示す図、図５はカーテンウォールの取り付け部の前面視における詳細図、図６は同じく側面視における詳細図、図７は建物変形のない状態でのカーテンウォールの状態を示す図、図８は建物大変形時におけるカーテンウォールのロッキングの状態を示す図、図９は第一実施例の防振構造を備えるカーテンウォールを示す図、図１０は同じく平面断面図である。
【００１２】
図１１は第二実施例の防振構造を備えるカーテンウォールを示す図、図１２は同じく平面断面図、図１３は第三実施例の防振構造を備えるカーテンウォールを示す図、図１４は同じく平面断面図、図１５は第四実施例の防振構造を備えるカーテンウォールを示す図、図１６は同じく平面断面図、図１７は第二参考例の取り付け部の詳細を表す前面図、図１８は同じく平面図、図１９は第二参考例の部品構成の詳細図である。
【００１３】
まず、図５乃至図８を用いて、本発明を適用する一般的なカーテンウォールの概要について説明する。図５及び図６に示す如く、該カーテンウォール１・１・・・は、建物躯体の梁２に対し、ファスナー３・３・・・（溝部材７・７・・・）及び固定具４・４・・・を介して取り付けられる構成としている。そして、該固定具４・４・・・には、長孔５・５・・・が穿設されており、地震等によって建物躯体（梁２）に大変形を生じた場合に、カーテンウォール１・１・・・を固定する固定ボルト６・６・・・が、該長孔５・５・・・を自由に動くことにより、カーテンウォール１・１・・・をロッキングさせ、該カーテンウォール１・１・・・が落下又は破損しないように構成している。尚、前記固定ボルト６・６・・・の締結トルクは建築施工基準に基づいて締結されており、通常の状態からロッキングの状態へ変化する際に要する外力の大きさは、該締結トルクによって、決定されている。以上の構成から、建物変形時には、図７に示す通常の状態から、図８のロッキングの状態になることにより、カーテンウォール１・１・・・を建物躯体の変形に追従できるようにしている。
【００１４】
次に、本発明の防振部材の第一参考例について説明する。第一参考例は、図４及び図６に示す如く、梁２の下で、カーテンウォール１・１・・・の横方向の中央内側壁面に、防振部材としての防振アングル８・８・・・を当接させる構成である。
【００１５】
該防振アングル８は、図１乃至図３に示すごとく、梁２の下面に当接し固設する固設面９と、カーテンウォール１・１・・・の内側壁面に当接させる当接面１０とから構成している。尚、固設面９と当接面１０の結合部は、通常のアングル形状と同様、直角に構成してもよいが、本参考例では、図１に示すごとく、防振アングル８がファスナー３の一部を構成する溝部材７に当たらなくするため、角部を切り欠いた斜め４５度の斜部を配する構成とした。また、リブ１１が、該防振アングル８の機械的強度を向上させるために、該固設面９と当接面１０の間に配されている。
【００１６】
固設面９は、梁２の下部に取り付けるための固設孔１２・１２を有し、梁２に複数配する取り付け孔１３・１３・・・（図１０に示す）に固設される。
【００１７】
当接面１０の表面には、高摩擦材１４が接着剤により貼設されている。 該高摩擦材１４は、表面に微小な凹凸を施したブチルゴム等の弾性ゴムからなり、カーテンウォール１の内側壁面に密着することにより、カーテンウォール１と防振アングル８との間に静止摩擦を生じる構成としている。
【００１８】
尚、該高摩擦材１４はカーテンウォール１の内側壁面に対して静止摩擦を生じる表面を有する部材であればよく、たとえば、粘着面を有する粘着シートを防振アングル８に貼設し、その粘着面をカーテンウォール１に当接させるようしてもよい。また、該高摩擦材１４には、カーテンウォール１に当接することで、カーテンウォール１の振動を減衰する作用を有する減衰材を用いてもよい。
【００１９】
以上のごとく構成し、カーテンウォール１が、防振アングル８（高摩擦材１４）を介して梁２に接合される。即ち、微小振動時においては、カーテンウォール１と梁２が一体化（剛体化）しているといえる。
【００２０】
建物が微小振動を受けた際は、カーテンウォール１・１・・・がロッキング状態へ移ろうとするが、カーテンウォール１・１・・・と高摩擦材１４の間に生じる摩擦（静止摩擦）により、防振アングル８・８・・・とカーテンウォール１・１・・・との接合（密着）の状態が保たれる。即ち、カーテンウォール１・１・・・と、建物躯体（梁２）が接合しているので、微小振動時においてカーテンウォール１・１・・・自体の剛性を、建物全体としての剛性（防振性）の向上に作用させることができるのである。
【００２１】
これに対し、地震時の建物大変形時には、高摩擦材１４との間の摩擦（静止摩擦）では、防振アングル８・８・・・とカーテンウォール１・１・・・との接合（密着）状態を維持することができなくなる。そして、カーテンウォール１・１・・・と防振アングル８・８・・・との接合が解かれ、上述した固定具４・４・・・の長孔５・５・・・の中を、各カーテンウォール１・１・・・の固定ボルト６・６・・・が移動すること（ズレルこと）となり、該防振アングル８・８・・・が存在しない状態と同様に、ロッキング状態となることができるのである。
【００２２】
次に、本発明の防振部材の第一実施例について説明する。第一実施例は、図９及び図１０に示す如く、カーテンウォール１・１・・・の上下に位置する梁２・２の間に介装する柱体としての複数のＣ形溝部材２０Ａから構成するものである。カーテンウォール１・１・・・の隣接部（目地部）には、Ｃ形溝部材２０Ａを配置し、該Ｃ形溝部材２０Ａの開口部と反対側の外側表面を、隣接するカーテンウォール１・１の目地を跨ぐようにして当接（密着）させている。
【００２３】
尚、Ｃ形溝部材２０Ａの上下端部は、端部プレート２５・２５で構成し、前記梁２・２の取り付け孔１３・１３・・・に対して、ボルト２４・２４で固定される。
【００２４】
以上のごとく構成し、カーテンウォール１・１・・・が、Ｃ形溝部材２０Ａと当接（密着）して生じる摩擦により、梁２に接合される。即ち、カーテンウォール１と梁２が一体化（剛体化）しているといえる。
【００２５】
建物が微小振動を受けた際は、カーテンウォール１・１・・・がロッキング状態へ移ろうとするが、Ｃ形溝部材２０Ａがカーテンウォール１・１・・・に当接（密着）することにより生じる摩擦（静止摩擦）により、Ｃ形溝部材２０Ａとカーテンウォール１との接合（密着）の状態が保たれる。即ち、カーテンウォール１・１・・・と、建物躯体（梁２）が接合しているので、カーテンウォール１・１・・・自体の剛性を、建物全体としての剛性（防振性）の向上に作用させることができるのである。
【００２６】
これに対し、地震時の建物大変形時には、Ｃ形溝部材２０Ａがカーテンウォール１・１・・・に当接（密着）することにより生じる摩擦（静止摩擦）では、Ｃ形溝部材２０Ａとカーテンウォール１・１・・・との接合（密着）状態を維持することができなくなる。そして、カーテンウォール１・１・・・とＣ形溝部材２０Ａとの接合が解かれ、上述した固定具４・４・・・の長孔５・５・・・の中を、各カーテンウォール１・１・・・の固定ボルト６・６・・・が移動すること（ズレルこと）となり、Ｃ形溝部材２０Ａが存在しない状態と同様に、ロッキング状態となることができるのである。
【００２７】
また、前記Ｃ形溝部材２０Ａは、目地部に当接する構成としたが、各カーテンウォール１・１・・・の内側面（目地部以外）に当接する構成としてもよい。図１１及び図１２は、第二実施例を示すものであって、複数（本実施例では各カーテンウォール１・１・・・に対して二本とした）のＣ形溝部材２０Ｂを設置することで、第二実施例と同様の効果を奏することも可能である。もちろん、前記Ｃ形溝部材２０Ａを該Ｃ形溝部材２０Ｂと同時に併用することが可能であることは言うまでもない。
【００２８】
次に、本発明の防振部材の第三実施例について説明する。第三実施例は、図１３及び図１４に示す如く、カーテンウォール１・１・・・の上下に位置する梁２・２の間に介装する、支持柱３０・３０・・・と、該支持柱３０・３０・・・からカーテンウォール１・１・・・の内側壁面に当接させる防振部材としての防振プレート３１・３１・・・とから構成するものである。
【００２９】
防振プレート３１・３１・・・は、図１４に示すごとく、支持柱３０・３０・・・のボルト孔に挿入された当接ボルト３２・３２の一端に取り付けたプレートである。そして、該防振プレート３１・３１・・・は、該当接ボルト３２・３２・・・を締付けることによって、支持柱３０・３０・・・を反力とし、カーテンウォール１・１・・・の内側壁面へ押し付けられて静止摩擦を得る。当接ボルト３２・３２・・・は、六角孔付ボルトで構成し、支持柱３０・３０・・・の側面に配した工具挿入孔３３・３３・・・から、工具の挿入を可能として、防振プレート３１・３１・・・をカーテンウォール１・１・・・に当接させる面圧を間単に調節できる構成としている。
【００３０】
また、該防振プレート３１・３１・・・は、カーテンウォール１・１・・・の隣接部に、隣接するカーテンウォール１・１の目地を跨がせて、内側壁面に当接するような幅を構成している。上下方向の配置においては、上部、中部、及び下部の三箇所に配している。
【００３１】
以上のごとく構成し、カーテンウォール１・１・・・が、防振プレート３１・３１・・・とカーテンウォール１・１・・・が当接（密着）して生じる摩擦（静止摩擦）により、梁２に接合される。即ち、カーテンウォール１と梁２が一体化（剛体化）しているといえる。
【００３２】
建物が微小振動を受けた際は、カーテンウォール１・１・・・がロッキング状態へ移ろうとするが、防振プレート３１・３１・・・とカーテンウォール１・１・・・が当接（密着）して生じる摩擦（静止摩擦）により、防振プレート３１・３１・・・とカーテンウォール１との接合（密着）の状態が保たれる。即ち、カーテンウォール１・１・・・と、建物躯体（梁２）が接合しているので、カーテンウォール１・１・・・自体の剛性を、建物全体としての剛性（防振性）の向上に作用させることができるのである。
【００３３】
これに対し、地震時の建物大変形時には、防振プレート３１・３１・・・とカーテンウォール１・１・・・が当接（密着）して生じる摩擦（静止摩擦）では、防振プレート３１・３１・・・とカーテンウォール１・１・・・との接合（密着）状態を維持することができなくなる。そして、カーテンウォール１・１・・・と防振プレート３１・３１・・・との接合が解かれ、上述した固定具４・４・・・の長孔５・５・・・の中を、各カーテンウォール１・１・・・の固定ボルト６・６・・・が移動すること（ズレルこと）となり、防振プレート３１・３１・・・が存在しない状態と同様に、ロッキング状態となることができるのである。
【００３４】
また、前記防振プレート３１・３１・・・は、目地部に当接する構成としたが、各カーテンウォール１・１・・・の内側面（目地部以外）に当接する構成としてもよい。図１５及び図１６は、第四実施例を示すものであって、各カーテンウォール１・１・・・の内側面に二本の支持柱３０・３０を配し、該防振プレート３１・３１・・・をカーテンウォール１・１・・・の上部及び下部に当接することで、第三実施例と同様の効果を奏することも可能である。もちろん、前記Ｃ形溝部材２０Ａを該Ｃ形溝部材２０Ｂと同時に併用することが可能であることは言うまでもない。
【００３５】
次に、本発明の防振部材の第二参考例について説明する。図１７に示すごとく、カーテンウォール１・１・・・の裏側表面（固定具４・４・・・を取り付ける面）の梁下および梁上には、壁側防振部材としてのＣ形溝部材９４が、その開口部が内壁側となる向きとして、背面に塗布した接着剤９３もしくはビス等により貼設されている。
【００３６】
図１８に示すごとく、梁２に取り付けられた躯体側防振部材としての支持プレート８５には、前記Ｃ形溝部材９４を取り付けた位置に対応する位置に、上下方向に長孔８６・８６が穿設されている。
【００３７】
図１９に示すごとく、前記Ｃ形溝部材９４のリップ部９２の内側面に摺動自在に配置した方形の溝部材側プレート８７と、支持プレート８５の表面側の支持側固定プレート８８により、前記リップ部９２及び支持プレート８５を挟む。そして、溝部材側プレート８７と支持側固定プレート８８を、連結具としての固定ボルト８９及び固定ナット６０（図１８に示す）により固定することにより、前記Ｃ形溝部材９４を支持プレート８５に結合するのである。
【００３８】
以上のごとく構成し、微小振動による建物の微小変形には、Ｃ形溝部材８４と支持プレート８５の結合によって生じる静止摩擦により、上記第一参考例と同じようにカーテンウォール１・１と建物躯体（梁２）が接合しているので、微小変形においては、カーテンウォール１・１自体の剛性を建物全体の剛性（防振性能）の向上に作用させることができる。
【００３９】
そして、大変形時においては、建物変形から受ける応力に、前記固定ボルト８９及び固定ナット６０の締結力によって生じる静止摩擦が耐えられない状態となると、Ｃ形溝部材９４と支持プレート８５の結合がとかれ、支持プレート８５の長孔８６・８６の中を固定ボルト８９が移動すること（ズレルこと）が可能となり、上記第一参考例と同じように、ロッキング状態となることができるのである。
【００４０】
尚、以上の第二参考例の各部材の構成は、上記の例に限るものではない。例えば、壁側防振部材をボルト孔を有する角材で構成し、固定ボルト８９を直接該ボルト孔に躯体側防振部材を介装して締結する構成としてもよい。
【００４１】
以上に説明したごとく、本発明の技術的思想は、カーテンウォール１・１・・・と、建物躯体に固設された部材との間に生じる摩擦（静止摩擦）により、微小振動時においては、カーテンウォール１・１・・・を建物躯体に接合させることにより、カーテンウォール１・１・・・自体の剛性を建物全体の剛性の向上に作用させることである。このため、実施例と参考例で掲げた、防振アングル８、支持側固定プレート８８、Ｃ形溝部材２０Ａ・２０Ｂ及び防振プレート３１の数、配置構成については、防振効果が得られる範囲で、適宜設計すればよい。
【００４２】
また、防振アングル８には、高摩擦材１４が貼設されていため、Ｃ形溝部材２０Ａ・２０Ｂ及び防振プレート３１と比較して、カーテンウォール１・１・・・の内側壁面に当接させる面積が少なくても、Ｃ形溝部材２０Ａ・２０Ｂ及び防振プレート３１と同等の摩擦を生じさせることを可能としている。もちろん、Ｃ形溝部材２０Ａ・２０Ｂ及び防振プレート３１に高摩擦材１４を貼設する構成としてもよい。
【００４３】
さらに、以上の実施例は、既存のカーテンウォール１・１・・・の他の構成要素の構造・形状に影響を及ぼさないため、カーテンウォール１・１・・・の設計を変更することなく、導入することができるのである。
【００４４】
また、カーテンウォールで外壁を構成する建物の防振構造であって、建物躯体に固設した躯体側防振部材と、カーテンウォールの内側壁面に固設した壁側防振部材とを、連結具によって係止するので、躯体側防振部材（Ｃ形溝部材８４）と壁側防振部材（支持プレート８５）の結合によって生じる静止摩擦により、カーテンウォール１・１と建物躯体（梁２）が接合しているので、微小変形においては、カーテンウォール１・１自体の剛性を建物全体の剛性（防振性能）の向上に作用させることができる。また、建物振動が大きく、静止摩擦ではカーテンウォール１・１・・・の振動を抑えることが出来なくなった場合には、カーテンウォール１・１・・・がロッキング状態となるのである。即ち、建物大変形時のロッキングは拘束されず、カーテンウォール１・１・・・の崩壊を防ぐことが出来るのである。さらに、既存のカーテンウォール１・１・・・の他の構成要素の構造・形状に影響を及ぼさないため、カーテンウォール１・１・・・の設計を変更することなく、導入することができるのである。
【００４４】
【発明の効果】
本発明は以上のごとく構成したので、次のような効果を奏するのである。
【００４５】
すなわち、請求項１及び２の如く、カーテンウォールで外壁を構成する建物の防振構造であって、建物躯体に固設した防振部材を、カーテンウォールの内側壁面に当接し、該防振部材とカーテンウォールとの当接面の静止摩擦により、カーテンウォールを建物躯体に接合させるので、建物が微小振動を受けた際は、該防振部材とカーテンウォール１・１・・・との接合（密着）の状態が保たれる。即ち、カーテンウォール１・１・・・と、建物躯体（梁２）が接合しているので、カーテンウォール１・１・・・自体の剛性を、建物全体としての剛性（防振性）の向上に作用させることができるのである。
また、建物振動が大きく、静止摩擦ではカーテンウォール１・１・・・の振動を抑えることが出来なくなった場合には、カーテンウォール１・１・・・がロッキング状態となるのである。即ち、建物大変形時のロッキングは拘束されず、カーテンウォール１・１・・・の崩壊を防ぐことが出来るのである。
さらに、既存のカーテンウォール１・１・・・の他の構成要素の構造・形状に影響を及ぼさないため、カーテンウォール１・１・・・の設計を変更することなく、導入することができるのである。
【００４５】
また、請求項１に記載のごとく、前記防振部材は、梁と梁の間に立設する柱体であって、該柱体の側面をカーテンウォールに当接させる構成とするので、建物が微小振動を受けた際は、該柱体（Ｃ形溝部材２０Ａ・２０Ｂ）とカーテンウォール１・１・・・との接合（密着）の状態が保たれる。即ち、カーテンウォール１・１・・・と、建物躯体（梁２）が接合しているので、カーテンウォール１・１・・・自体の剛性を、建物全体としての剛性（防振性）の向上に作用させることができるのである。
【００４６】
また、前記防振部材のカーテンウォール１・１・・・との当接面には高摩擦材１４を貼設するので、該高摩擦材によって、カーテンウォール１・１・・・と防振部材の当接面に生じさせる摩擦を増幅させることができる。また、静止摩擦が増幅されるので、防振部材の構造を小さく構成しても、微小振動が生じた際にカーテンウォール１・１・・・の接合状態を維持することができるようになる。
【００４７】
また、請求項２に記載のごとく、前記防振部材は、梁と梁の間に柱体を立設し、該柱体からカーテンウォールの内側壁面に当接するプレートを突設する構成とするので、建物が微小振動を受けた際は、該プレート（防振プレート３１）とカーテンウォール１・１・・・との接合（密着）の状態が保たれる。即ち、カーテンウォール１・１・・・と、建物躯体（梁２）が接合しているので、カーテンウォール１・１・・・自体の剛性を、建物全体としての剛性（防振性）の向上に作用させることができるのである。
また、該プレート（防振プレート３１）は、当接ボルト３２・３２・・・により、カーテンウォール１・１・・・に与える面圧を調節することができるので、カーテンウォール１・１・・・とプレート（防振プレート３１）の当接面に生じさせる摩擦を調節することができる。
【図面の簡単な説明】
【図１】  第一参考例の防振構造を示す図である。
【図２】  第一参考例の防振部材の前面図である。
【図３】  同じく側面図である。
【図４】  第一参考例の防振構造を備えるカーテンウォールを示す図である。
【図５】  カーテンウォールの取り付け部の前面視における詳細図である。
【図６】  同じく側面視における詳細図である。
【図７】  建物変形のない状態でのカーテンウォールの状態を示す図である。
【図８】  建物大変形時におけるカーテンウォールのロッキングの状態を示す図である。
【図９】  第一実施例の防振構造を備えるカーテンウォールを示す図である。
【図１０】  同じく平面断面図である。
【図１１】  第二実施例の防振構造を備えるカーテンウォールを示す図である。
【図１２】  同じく平面断面図である。
【図１３】  第三実施例の防振構造を備えるカーテンウォールを示す図である。
【図１４】  同じく平面断面図である。
【図１５】  第四実施例の防振構造を備えるカーテンウォールを示す図である。
【図１６】  同じく平面断面図である。
【図１７】  第二参考例の取り付け部の詳細を表す前面図である。
【図１８】  同じく平面図である。
【図１９】  同じく第三参考例の部品構成の詳細図である。
【符号の説明】
１カーテンウォール
２梁
３ファスナー
４固定具
５長孔
６固定ボルト
７溝部材
８防振アングル
１４高摩擦材
２０ＡＣ形溝部材
２０ＢＣ形溝部材
３０支持柱
３１防振プレート
３２当接ボルト
【図１】
0003909204.tif 000002
【図２】
0003909204.tif 000003
【図３】
0003909204.tif 000004
【図４】
0003909204.tif 000005
【図５】
0003909204.tif 000006
【図６】
0003909204.tif 000007
【図７】
0003909204.tif 000008
【図８】
0003909204.tif 000009
【図９】
0003909204.tif 000010
【図１０】
0003909204.tif 000011
【図１１】
0003909204.tif 000012
【図１２】
0003909204.tif 000013
【図１３】
0003909204.tif 000014
【図１４】
0003909204.tif 000015
【図１５】
0003909204.tif 000016
【図１６】
0003909204.tif 000017
【図１７】
0003909204.tif 000018
【図１８】
0003909204.tif 000019
【図１９】
0003909204.tif 000020